【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
ネットワークを介して印刷データと該印刷データの出力体裁の情報を含む属性情報とを含む印刷ジョブを受信し、受信した印刷ジョブに基づく印刷出力を行う画像形成装置において、
前記印刷ジョブとともに前記印刷出力の際の出力体裁を制限する制限情報を取得する取得手段と、
前記取得手段が取得した制限情報に従って、前記印刷ジョブに含まれる属性情報とは異なる出力体裁で印刷出力を行う制御手段とを備え、
前記印刷ジョブとともに受信する制限情報はパケットとして、ネットワークを介して受信され、
前記制限情報を含むパケットには、ヘッダに制限情報であることを示すコードが指定されていることを特徴とする画像形成装置。
【請求項２】
前記制限情報には、電子署名が含まれることを特徴とする請求項１に記載の画像形成装置。
【請求項３】
前記制限情報は出力体裁に制限を加えるために、両面印刷、Ｎｉｎ１印刷（Ｎ≧２）、及びモノクロ印刷の少なくとも何れかを指定する情報を含むことを特徴とする請求項１又は２に記載の画像形成装置。
【請求項４】
ネットワークを介して印刷データと該印刷データの出力体裁の情報を含む属性情報とを含む印刷ジョブを受信し、受信した印刷ジョブに基づく印刷出力を行う画像形成装置において、
前記印刷ジョブとともに前記印刷出力の際の出力体裁を制限する制限情報を取得する取得手段と、
前記取得手段が取得した制限情報に従って、前記印刷ジョブに含まれる属性情報とは異なる出力体裁で印刷出力を行う制御手段とを備えることを特徴とする画像形成装置。
【請求項５】
ネットワークを介して印刷データと該印刷データの出力体裁の情報を含む属性情報とを含む印刷ジョブを受信し、受信した印刷ジョブに基づく印刷出力を行う画像形成方法において、
前記印刷ジョブとともに前記印刷出力の際の出力体裁を制限する制限情報を取得する取得ステップと、
前記取得ステップで取得した制限情報に従って、前記印刷ジョブに含まれる属性情報とは異なる出力体裁で印刷出力を行う制御ステップとを備え、
前記印刷ジョブとともに受信する制限情報はパケットとして、ネットワークを介して受信され、
前記制限情報を含むパケットには、ヘッダに制限情報であることを示すコードが指定されていることを特徴とする画像形成方法。
【請求項６】
ネットワークを介して印刷データと該印刷データの出力体裁の情報を含む属性情報とを含む印刷ジョブを受信し、受信した印刷ジョブに基づく印刷出力を行う画像形成方法において、
前記印刷ジョブとともに前記印刷出力の際の出力体裁を制限する制限情報を取得する取得ステップと、
前記取得ステップで取得した制限情報に従って、前記印刷ジョブに含まれる属性情報とは異なる出力体裁で印刷出力を行う制御ステップとを備えることを特徴とする画像形成方法。
【請求項７】
ネットワークを介して印刷データと該印刷データの出力体裁の情報を含む属性情報とを含む印刷ジョブを受信し、受信した印刷ジョブに基づく印刷出力を行う画像形成方法をコンピュータに実行させるプログラムにおいて、前記画像形成方法は、
前記印刷ジョブとともに前記印刷出力の際の出力体裁を制限する制限情報を取得する取得ステップと、
前記取得ステップで取得した制限情報に従って、前記印刷ジョブに含まれる属性情報とは異なる出力体裁で印刷出力を行う制御ステップとを備え、
前記印刷ジョブとともに受信する制限情報はパケットとして、ネットワークを介して受信され、
前記制限情報を含むパケットには、ヘッダに制限情報であることを示すコードが指定されていることを特徴とするプログラム。
【請求項８】
ネットワークを介して印刷データと該印刷データの出力体裁の情報を含む属性情報とを含む印刷ジョブを受信し、受信した印刷ジョブに基づく印刷出力を行う画像形成方法をコンピュータに実行させるプログラムにおいて、前記画像形成方法は、
前記印刷ジョブとともに前記印刷出力の際の出力体裁を制限する制限情報を取得する取得ステップと、
前記取得ステップで取得した制限情報に従って、前記印刷ジョブに含まれる属性情報とは異なる出力体裁で印刷出力を行う制御ステップとを備えることを特徴とするプログラム。
【手続補正２】
【補正対象書類名】明細書
【補正対象項目名】発明の名称
【補正方法】変更
【補正の内容】
【発明の名称】画像形成装置及び方法、並びにプログラム
【手続補正３】
【補正対象書類名】明細書
【補正対象項目名】０００１
【補正方法】変更
【補正の内容】
【０００１】
本発明は、画像形成装置及び方法、並びにプログラムに関し、特に、ホストコンピュータにより作成された印刷データをネットワークなどのインフラを介して受信し、印刷用紙に印刷を行う画像形成装置及び方法、並びにプログラムに関する。
【手続補正４】
【補正対象書類名】明細書
【補正対象項目名】００１２
【補正方法】変更
【補正の内容】
【００１２】
本発明は、上記問題点の少なくともひとつに鑑みて成されたものであり、ユーザによる無秩序な印刷出力を抑制し、ＴＣＯ削減に寄与することができる画像形成装置及び方法、並びにプログラムを提供することを目的とする。
【手続補正５】
【補正対象書類名】明細書
【補正対象項目名】００１３
【補正方法】変更
【補正の内容】
【００１３】
上記目的を達成するために、本発明の画像形成装置は、ネットワークを介して印刷データと該印刷データの出力体裁の情報を含む属性情報とを含む印刷ジョブを受信し、受信した印刷ジョブに基づく印刷出力を行う画像形成装置において、前記印刷ジョブとともに前記印刷出力の際の出力体裁を制限する制限情報を取得する取得手段と、前記取得手段が取得した制限情報に従って、前記印刷ジョブに含まれる属性情報とは異なる出力体裁で印刷出力を行う制御手段とを備え、前記印刷ジョブとともに受信する制限情報はパケットとして、ネットワークを介して受信され、前記制限情報を含むパケットには、ヘッダに制限情報であることを示すコードが指定されていることを特徴とする。
【手続補正６】
【補正対象書類名】明細書
【補正対象項目名】００１４
【補正方法】変更
【補正の内容】
【００１４】
また、本発明の画像形成装置は、ネットワークを介して印刷データと該印刷データの出力体裁の情報を含む属性情報とを含む印刷ジョブを受信し、受信した印刷ジョブに基づく印刷出力を行う画像形成装置において、前記印刷ジョブとともに前記印刷出力の際の出力体裁を制限する制限情報を取得する取得手段と、前記取得手段が取得した制限情報に従って、前記印刷ジョブに含まれる属性情報とは異なる出力体裁で印刷出力を行う制御手段とを備えることを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】
本発明によれば、受信した印刷ジョブを解析して、当該印刷ジョブの印刷出力に所定の制限をかけるための制限情報を解析し、当該解析された制限情報により印刷ジョブの印刷出力に所定の制限をかけるので、従来のプリンタドライバの構成を変えることなく、制限情報により印刷ジョブの印刷出力に制限をかけることができ、ユーザによる無秩序な印刷出力を抑制してＴＣＯ削減に寄与することができる。